【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
トナーを含む現像剤を蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、
前記現像器内の前記トナーの量を検知する検知手段と、
前記現像器に補給するためのトナーを収容した収容容器が装着される装着部と、
前記装着部に装着された前記収容容器から前記現像器にトナーを補給する補給手段と、
前記画像形成手段が前記トナー像を形成することによって前記現像器から消費されるトナーの消費量を、前記画像データに基づいて演算する第１の演算部と、
前記検知手段により検知されたトナーの量と前記現像器に蓄積されるトナーの目標量との差を演算する第２の演算部と、
前記第２の演算部により演算された前記差の累積値を演算する第３の演算部と、
前記第１の演算部により演算された前記消費量と、前記第２の演算部により演算された前記差と、前記第３の演算部により演算された前記累積値とに基づいて、前記補給手段を制御する制御手段と、有し、
前記第３の演算部は、前記装着部に装着された前記収容容器が交換された場合、前記累積値を所定値に変更することを特徴とする画像形成装置。
【請求項２】
前記制御手段は、前記消費量、前記差、及び、前記累積値に基づいて、前記現像器に補給すべきトナーの量を決定する決定部を備え、
前記制御手段は、前記決定部により決定された前記補給すべきトナーの量に基づいて、前記補給手段を制御することを特徴とする請求項１に記載の画像形成装置。
【請求項３】
前記制御手段は、前記決定部により決定された前記補給すべきトナーの量を累積し、前記累積値が閾値を越えなければ、前記補給手段により前記現像器にトナーが補給されないことを特徴とする請求項２に記載の画像形成装置。
【請求項４】
前記補給手段は、前記収容容器を回転させることによって前記収容容器から前記現像器にトナーを補給し、
前記制御手段は、前記決定部により決定された前記補給すべきトナーの量を累積すると共に、当該累積値に基づいて前記補給手段により前記収容容器を回転させる量を制御し、
前記制御手段は、前記補給手段により前記収容容器を回転させる量に基づいて前記補給すべきトナーの量の累積値を減少させ、
前記制御手段は、前記補給すべきトナーの量の累積値が前記閾値を下回るように、前記補給手段により前記収容容器を回転させる量を制御することを特徴とする請求項３に記載の画像形成装置。
【請求項５】
前記閾値は、前記補給手段により前記収容容器を所定の回転量だけ回転させた場合に前記収容容器から前記現像器に補給できるトナーの量に基づいて予め決まっており、
前記制御手段は、前記補給手段により前記収容容器を回転させる量が前記所定の回転量となる度に、前記補給すべきトナーの量の累積値を前記閾値だけ減少させることを特徴とする請求項４に記載の画像形成装置。
【請求項６】
前記決定部は、前記画像形成手段が記録材１ページのトナー像を形成する度に、前記補給すべきトナーの量を決定することを特徴とする請求項２乃至５のいずれか一項に記載の画像形成装置。
【請求項７】
前記現像器は、前記現像器に蓄積された前記現像剤を撹拌する撹拌手段を備え、
前記決定部は、前記撹拌手段が前記現像剤を撹拌している間、所定の時間間隔において前記補給すべきトナーの量を決定することを特徴とする請求項２乃至５のいずれか一項に記載の画像形成装置。
【請求項８】
前記所定値は０であることを特徴とする請求項１乃至６のいずれか一項に記載の画像形成装置。
【請求項９】
トナーを含む現像剤を蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、
前記現像器内の前記トナーの量を検知する検知手段と、
前記現像器に補給するためのトナーを収容した収容容器が装着される装着部と、
前記装着部に装着された前記収容容器から前記現像器にトナーを補給する補給手段と、前記画像形成手段が前記トナー像を形成することによって前記現像器から消費されるトナーの消費量を、前記画像データに基づいて演算する第１の演算部と、
前記検知手段により検知されたトナーの量と前記現像器に蓄積されるトナーの目標量との差を演算する第２の演算部と、
前記第２の演算部により演算された前記差の累積値を演算する第３の演算部と、
前記第１の演算部により演算された前記消費量と、前記第２の演算部により演算された前記差と、前記第３の演算部により演算された前記累積値とに基づいて、前記現像器に補給すべき前記トナーの量を決定する決定部と、
前記決定部により決定された前記補給すべきトナーの量に基づいて、前記補給手段を制御する制御手段と、を有し、
前記決定部は、前記装着部に装着された前記収容容器が交換された場合、前記収容容器が前記装着部に装着された後で最初に決定される前記補給すべきトナーの量を、前記累積値を用いずに、前記消費量と前記差とに基づいて決定することを特徴とする画像形成装置。
【請求項１０】
前記制御手段は、前記決定部により決定された前記補給すべきトナーの量を累積し、前記累積値が閾値を越えなければ、前記補給手段により前記現像器にトナーが補給されないことを特徴とする請求項９に記載の画像形成装置。
【請求項１１】
前記補給手段は、前記収容容器を回転させることによって前記収容容器から前記現像器にトナーを補給し、
前記制御手段は、前記決定部により決定された前記補給すべきトナーの量を累積すると共に、当該累積値に基づいて前記補給手段により前記収容容器を回転させる量を制御し、前記制御手段は、前記補給手段により前記収容容器を回転させる量に基づいて前記補給すべきトナーの量の累積値を減少させ、
前記制御手段は、前記補給すべきトナーの量の累積値が前記閾値を下回るように、前記補給手段により前記収容容器を回転させる量を制御することを特徴とする請求項１０に記載の画像形成装置。
【請求項１２】
前記閾値は、前記補給手段により前記収容容器を所定の回転量だけ回転させた場合に前記収容容器から前記現像器に補給できるトナーの量に基づいて予め決まっており、
前記制御手段は、前記補給手段により前記収容容器を回転させる量が前記所定の回転量となる度に、前記補給すべきトナーの量の累積値を前記閾値だけ減少させることを特徴とする請求項１１に記載の画像形成装置。
【請求項１３】
前記決定部は、前記画像形成手段が記録材１ページのトナー像を形成する度に、前記補給すべきトナーの量を決定することを特徴とする請求項９乃至１２のいずれか一項に記載の画像形成装置。
【請求項１４】
前記現像器は、前記現像器に蓄積された前記現像剤を撹拌する撹拌手段を備え、
前記決定部は、前記撹拌手段が前記現像剤を撹拌している間、所定の時間間隔において前記補給すべきトナーの量を決定することを特徴とする請求項９乃至１２のいずれか一項に記載の画像形成装置。
【請求項１５】
前記検知手段は、前記現像器に蓄積された前記現像剤中のトナーの割合に応じた信号を出力することを特徴とする請求項１乃至１４のいずれか一項に記載の画像形成装置。
【請求項１６】
トナーを蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、前記現像器に蓄積された前記トナーの量を検知する検知手段と、前記現像器に補給するためのトナーを収容した収容容器が装着される装着部と、前記装着部に装着された前記収容容器から前記現像器にトナーを補給する補給手段と、を備える画像形成装置の制御方法であって、
前記画像形成手段が前記トナー像を形成することによって前記現像器から消費されるトナーの消費量を、前記画像データに基づいて演算する第１の演算工程と、
前記検知手段により検知されたトナーの量と前記現像器に蓄積されるトナーの目標量との差を演算する第２の演算工程と、
前記消費量、前記差、及び、前記差の累積値に基づいて、前記補給手段を制御する制御工程と、
前記収容容器が前記装着部に装着されていない状態から前記収容容器が前記装着部に装着された状態に変化したことに応じて、前記累積値を所定値に変更する変更工程と、を有することを特徴とする画像形成装置の制御方法。
【請求項１７】
トナーを蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、前記現像器に蓄積された前記トナーの量を検知する検知手段と、前記現像器に補給するためのトナーを収容した収容容器が装着される装着部と、前記装着部に装着された前記収容容器から前記現像器にトナーを補給する補給手段と、を備える画像形成装置の制御方法であって、
前記画像形成手段が前記トナー像を形成することによって前記現像器から消費されるトナーの消費量を、前記画像データに基づいて演算する第１の演算工程と、
前記検知手段により検知されたトナーの量と前記現像器に蓄積されるトナーの目標量との差を演算する第２の演算工程と、
前記消費量、前記差、及び、前記差の累積値に基づいて、前記現像器に補給すべき前記トナーの量を決定する決定工程と、
前記補給すべきトナーの量に基づいて、前記補給手段を制御する制御工程と、を有し、前記決定工程は、前記収容容器が前記装着部に装着されていない状態から前記収容容器が前記装着部に装着された状態に変化したことに応じて、前記収容容器が前記装着部に装着された後で最初に決定される前記補給すべきトナーの量を、前記差の累積値を用いずに、前記消費量と前記差とに基づいて決定することを特徴とする画像形成装置の制御方法。
【手続補正２】
【補正対象書類名】明細書
【補正対象項目名】００１０
【補正方法】変更
【補正の内容】
【００１０】
上記課題を解決するため、請求項１に記載の画像形成装置は、トナーを含む現像剤を蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、前記現像器内の前記トナーの量を検知する検知手段と、前記現像器に補給するためのトナーを収容した収容容器が装着される装着部と、前記装着部に装着された前記収容容器から前記現像器にトナーを補給する補給手段と、前記画像形成手段が前記トナー像を形成することによって前記現像器から消費されるトナーの消費量を、前記画像データに基づいて演算する第１の演算部と、前記検知手段により検知されたトナーの量と前記現像器に蓄積されるトナーの目標量との差を演算する第２の演算部と、前記第２の演算部により演算された前記差の累積値を演算する第３の演算部と、前記第１の演算部により演算された前記消費量と、前記第２の演算部により演算された前記差と、前記第３の演算部により演算された前記累積値とに基づいて、前記補給手段を制御する制御手段と、有し、前記第３の演算部は、前記装着部に装着された前記収容容器が交換された場合、前記累積値を所定値に変更することを特徴とする。
【手続補正３】
【補正対象書類名】明細書
【補正対象項目名】００１１
【補正方法】変更
【補正の内容】
【００１１】
また、上記課題を解決するため、他の請求項に記載の画像形成装置は、トナーを蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、前記現像器に蓄積された前記トナーの量を検知する検知手段と、前記現像器に補給するためのトナーを収容した収容容器が装着される装着部と、前記装着部に装着された前記収容容器から前記現像器にトナーを補給する補給手段と、前記画像形成手段が前記トナー像を形成することによって前記現像器から消費されるトナーの消費量を、前記画像データに基づいて演算する第１の演算部と、前記検知手段により検知されたトナーの量と前記現像器に蓄積されるトナーの目標量との差を演算する第２の演算部と、前記第２の演算部により演算された前記差の累積値を演算する第３の演算部と、前記第１の演算部により演算された前記消費量と、前記第２の演算部により演算された前記差と、前記第３の演算部により演算された前記累積値とに基づいて、前記現像器に補給すべき前記トナーの量を決定する決定部と、前記決定部により決定された前記補給すべきトナーの量に基づいて、前記補給手段を制御する制御手段と、を有し、前記決定部は、前記装着部に装着された前記収容容器が交換された場合、前記収容容器が前記装着部に装着された後で最初に決定される前記補給すべきトナーの量を、前記累積値を用いずに、前記消費量と前記差とに基づいて決定することを特徴とする。
【手続補正４】
【補正対象書類名】明細書
【補正対象項目名】００１２
【補正方法】変更
【補正の内容】
【００１２】
また、上記課題を解決するため、他の請求項に記載の画像形成装置の制御方法は、トナーを蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、前記現像器に蓄積された前記トナーの量を検知する検知手段と、前記現像器に補給するためのトナーを収容した収容容器が装着される装着部と、前記装着部に装着された前記収容容器から前記現像器にトナーを補給する補給手段と、を備える画像形成装置の制御方法であって、前記画像形成手段が前記トナー像を形成することによって前記現像器から消費されるトナーの消費量を、前記画像データに基づいて演算する第１の演算工程と、前記検知手段により検知されたトナーの量と前記現像器に蓄積されるトナーの目標量との差を演算する第２の演算工程と、前記消費量、前記差、及び、前記差の累積値に基づいて、前記補給手段を制御する制御工程と、前記収容容器が前記装着部に装着されていない状態から前記収容容器が前記装着部に装着された状態に変化したことに応じて、前記累積値を所定値に変更する変更工程と、を有することを特徴とする。
【手続補正５】
【補正対象書類名】明細書
【補正対象項目名】００１３
【補正方法】変更
【補正の内容】
【００１３】
また、上記課題を解決するため、他の請求項に記載の画像形成装置の制御方法は、トナーを蓄積する現像器を有し、画像データに基づく静電潜像を感光体に形成し、前記静電潜像を前記現像器に蓄積された前記トナーを用いて現像することにより、前記静電潜像に基づくトナー像を形成する画像形成手段と、前記現像器に蓄積された前記トナーの量を検知する検知手段と、前記現像器に補給するためのトナーを収容した収容容器が装着される装着部と、前記装着部に装着された前記収容容器から前記現像器にトナーを補給する補給手段と、を備える画像形成装置の制御方法であって、前記画像形成手段が前記トナー像を形成することによって前記現像器から消費されるトナーの消費量を、前記画像データに基づいて演算する第１の演算工程と、前記検知手段により検知されたトナーの量と前記現像器に蓄積されるトナーの目標量との差を演算する第２の演算工程と、前記消費量、前記差、及び、前記差の累積値に基づいて、前記現像器に補給すべき前記トナーの量を決定する決定工程と、前記補給すべきトナーの量に基づいて、前記補給手段を制御する制御工程と、を有し、前記決定工程は、前記収容容器が前記装着部に装着されていない状態から前記収容容器が前記装着部に装着された状態に変化したことに応じて、前記収容容器が前記装着部に装着された後で最初に決定される前記補給すべきトナーの量を、前記差の累積値を用いずに、前記消費量と前記差とに基づいて決定することを特徴とする。
【手続補正６】
【補正対象書類名】明細書
【補正対象項目名】００１４
【補正方法】変更
【補正の内容】
【００１４】
本発明によれば、高精度に現像器にトナーを補給できる。